(57)【特許請求の範囲】
【請求項１】
往復動可能でその軸線回りに回転可能な水栓支持管と、該水栓支持管をその往復動方向の任意の位置で保持する保持手段と、水栓支持管の往復動方向への移動は自在とし、吐水口支持管の回転方向に対しては摩擦抵抗を与えて回転を規制する回転規制手段とからなる水栓の高さ調整装置において、
回転規制手段が、水栓支持管がその軸線方向に移動自在な回転筒と、回転筒の回転を規制する回転抵抗体とから構成した回転規制手段であることを特徴とする水栓の高さ調整装置。
【請求項２】
回転規制手段が、回転筒の内面に軸線方向の突条又は凹溝を設け、水栓支持管の外面に前記突条又は凹溝に合わさる凹部叉は突部を設けることにより、回転筒に対して水栓支持管の往復動は自在にし、回転は規制する回転規制手段であることを特徴とする請求項１記載の水栓の高さ調整装置。
【請求項３】
回転規制手段が、ベースに固定されるガイドケースとガイドケースに一部を固定される摩擦リングにより構成した回転規制手段であることを特徴とする請求項１記載の水栓の高さ調整装置。
【発明の詳細な説明】
【０００１】
【発明の属する技術分野】
本発明は、たとえば洗面化粧台に備えられたハンドシャワー等の水栓の高さを変えて使用できるようにするための水栓の高さ調整装置に関する。
【０００２】
【従来の技術】
吐水ヘッドの吐水時、吐水ヘッドが横方向へ作用する吐水水圧により回動するのを阻止できるようにした洗髪水栓が、例えば、特開平８−３０２７７５号公報に記載されている。前記洗髪水栓は、取付筒の上端に取り付けられたキャップ内に保持部材、ブレーキリング、ストッパリング及びブレーキパッキンが配置され、支持管の外周面には保持部材が入り込む上側周回溝及び下側周回溝が形成されている。ブレーキリングは小ブレーキ片を円環形とし、外周面にスプリングが配置され、小ブレーキ片を縮径方向に弾性的に締め付けている。この洗髪水栓は、ブレーキリングが支持管の外周面を押し付けているので、吐水ヘッドの吐水圧による支持管の回転は阻止され、また、支持管は、高位置及び低位置に移動させると、保持部材が上側周回溝及び下側周回溝に入り込み固定される。
【０００３】
【発明が解決しようとする課題】
前記洗髪水栓は、水栓の固定位置は低位置及び高位置の２カ所に限定され、それ以外の任意の位置では固定することができないため、洗髪の際に不便を感じる場合がある。また、支持管をブレーキリングで直接締め付けているため、支持管の高さ方向の移動の際の摺動が重くなるという欠点がある。
【０００４】
本発明は、水栓を任意の位置に固定することができるとともに、吐水ヘッドの吐水圧による水栓支持管の回転が阻止され、また、水栓を高さ方向へ移動させる際の摺動が重くならない水栓の高さ調整装置を提供するものである。
【０００５】
【課題を解決するための手段】
本発明の水栓の高さ調整装置は、往復動可能でその軸線回りに回転可能な水栓支持管と、該水栓支持管をその往復動方向の任意の位置で保持する保持手段と、水栓支持管の往復動方向への移動は自在とし、吐水口支持管の回転方向に対しては摩擦抵抗を与えて回転を規制する回転規制手段とからなる水栓の高さ調整装置において、回転規制手段が、水栓支持管がその軸線方向に移動自在な回転筒と、回転筒の回転を規制する回転抵抗体とから構成した回転規制手段であることを特徴とする。
【０００６】
【発明の実施の形態】
回転規制手段としては、回転筒の内面に軸線方向の突条又は凹溝を設け、水栓支持管の外面に前記突条又は凹溝に合わさる凹部叉は突部を設けることにより、回転筒に対して水栓支持管の往復動は自在にし、回転は規制する構成とする。また、回転規制手段は、ベースに固定されるガイドケースとガイドケースに一部を固定される摩擦リングにより構成する。
【０００７】
保持手段は、ストッパー手段とストッパー手段を解除する解除手段からなり、水栓支持管を引き上げるときに自動的に水栓支持管のストッパー手段が解除されて任意の位置に引き上げられ、引き上げを中止したときにはストッパー手段により水栓支持管を保持し、水栓支持管を下げるときにはストッパー手段を解除する解除手段を操作することによりストッパー手段を解除し、水栓支持管を移動自在とし、任意の位置に下げ、解除手段の操作を停止するとストッパー手段により水栓支持管を保持する。
【０００８】
保持手段として、水栓支持管と水栓支持管を挿通する切り欠き部を有するストッパー部材を水栓支持管の軸線方向に揺動自在に設け、ストッパー部材の一方端に支持部を設け、ストッパー部材の自重によりストッパー部材の切り欠き部周辺の少なくとも２点が水栓支持管の外周面に接触することにより水栓支持管を保持し、ストッパー部材の一部を押し下げ、叉は押し上げることによりストッパー部材と水栓支持管の接触を解除する解除手段を設ける。
【０００９】
【実施例】
図１は本発明の水栓の支持構造を備えたハンドシャワーの例の取付け構造を示す要部の切欠図、図２は保持装置と回転規制手段部分の縦断面図、図３は摩擦リングをガイドケースに係合した状態の縦断面、図４は保持装置の分解斜視図、図５は回転筒とガイドケースの分解斜視図である。
【００１０】
洗面器の奥の壁に固定した取付具５０に、固定したままか引き上げて使えるようにしたシャワーヘッド１を吐水口として備え、このシャワーヘッド１の基端に連結したフレキシブルホース１ａを取付具５０の内側で下へ垂らすと共に湯水混合水栓（図示せず）の混合水出口にこのホース１ａを連結している。このようなシャワーヘッド１への湯水混合水栓からの混合水の供給は、たとえば実公平６−１６４９号公報等に記載されているように従来周知の構成である。そして、シャワーヘッド１は、ホルダーを貫通して配置したサポート２に着脱自在に取り付けられている。
【００１１】
サポート２は斜めに傾斜させた姿勢としてその上端からシャワーヘッド１の基端側を差し込めるようにした中空のホルダ２ａと、このホルダ２ａの基端に連結され金属パイプを利用した水栓支持管２ｂとから構成したものである。ホルダ２ａはその内部にシール機構を配置してホース１ａを伝う滴を水切りする構造としたものである。また、水栓支持管２ｂはホルダ２ａの基端側に差し込んで連結され、ホルダ２ａの下端は、水栓支持管２ｂの外周から半径方向に突き出る段差を形成している。さらに、水栓支持管２ｂの下端部には、フレキシブルホース１ａの凹凸部が水栓支持管２ｂの下端部の角にひっかかり音が発生するのを防止するため、内周に円弧状の凸部２ｃを形成する。
【００１２】
取付具５０にはサポート２のホルダ２ａの下端を受けるとともに水栓支持管２ｂを高さ調整するための保持装置３が固定される。
【００１３】
ベース４は、ビス５０ａによって取付具５０の下側に固定され、上端には皿状の収納座４ｂを形成し、この収納座４ｂの中にリテーナハウジング５を落とし込んで定位置に保持可能としている。
【００１４】
リテーナハウジング５は、ベース４の収納座４ｂに嵌まり込む凹状断面の保持環５ａとその上面に被せた操作環５ｂとを組み合わせたものであり、これらの保持環５ａ及び操作環５ｂにはこれらを組み合わせたときに同軸配置となり且つ水栓支持管２ｂが自由に移動できる程度の内径の開口５ｃ，５ｄを開けている。また、保持環５ａの内部にはストッパ６の下面の一部を受ける受座５ｅを底面から上に突き出して形成し、操作環５ｂの外周縁には操作用のボタン５ｆを別部材として上下に移動可能に備えている。
【００１５】
保持環５ａと操作環５ｂとは、それぞれの受座５ｅ及びボタン５ｆが対応する姿勢として互いに重ね合わせるものとし、ボタン５ｆを押せばその下端面が受座５ｅ上に斜めの姿勢で載っているストッパ６の一端側を押下げ、これによってストッパ６を図示の水平姿勢に設定することができる。また、ボタン５ｆと保持環５ａの底との間には、圧縮のコイルスプリング５ｇを組み込むものとし、ボタン５ｆを押す力を外せばこのコイルスプリング５ｇの復元によってボタン５ｆを元の位置に戻せる構成とする。
【００１６】
ストッパ６は環状体として形成されたもので、自身は弾性変形しない程度の適切な肉厚を持つ金属板を素材としたものである。このストッパ６は、リテーナハウジング５に収納したときには半径方向の一端側が受座５ｅの上にのると共に他端側が保持環５ａの底面から浮いた状態で受座５ｅ側の方が高くなる傾斜した姿勢として保持環５ａの中に落とし込める程度の外径を持つ。そして、ストッパ６には同軸上に円形状の開口６ａを設ける。この開口６ａは、ストッパ６が水栓支持管２ｂと同軸すなわち水栓支持管２ｂの軸線とストッパ６とが直交する関係にあるときに水栓支持管２ｂの外径よりも僅かに大きく、しかもストッパ６が傾斜姿勢にあるときには開口６ａの内周縁が水栓支持管２ｂの外周に係合可能な程度の内径を持つ。
【００１７】
さらに、保持装置３には、リテーナハウジング５の全体を覆うカバー７を一体に接合する。このカバー７は扁平な円錐台状であってその上端には水栓支持管２ｂが差し込まれる円形の開口７ａとその周りに平面状に形成されホルダ２ａの下端面を受ける受圧座７ｂを形成し、さらに外周縁部分には操作環５ｂのボタン５ｆを外に突き出すためのボタン孔７ｃを開けたものである。そして、開口７ａの下側には支持管２ｂの外周面に密着するＵ字状断面のパッキン８を組み込んでいる。このパッキン８は、開口７ａから水がカバー７内に浸入するのを防止するとともに、水栓支持管２ｂに抵抗を与えることによってストッパ６の係合が外れたときに水栓支持管２ｂが急激に落下してしまうのを防止する機能を持つ。
【００１８】
なお、カバー７は、図３に示すように、ベース４の中に組み込んだリテーナハウジング５の全体を覆うとともに、ボタン５ｆ周りもその上端部分を除いて周壁で包み込むことによって、このボタン５ｆのみを押す操作ができるように組み立てられる。
【００１９】
ベース４の下部には水栓支持管２ｂを案内する樹脂製の回転筒９が配置される。回転筒９の内周には、軸線方向に凸条９ａが１８０度の間隔をおいて設けられている。この凸条９ａは、水栓支持管２ｂの下端部の外周に１８０度の間隔をおいて設けられている凹溝２ｄに摺動自在に係合している。
【００２０】
回転筒９の上部には、樹脂製の摩擦リング１０が弾性を有する締付リング１１で締め付けられており、摩擦抵抗により回転筒９に係合する水栓支持管の吐水水圧による回転を阻止している。摩擦リング１０には、係止突起１０ａが設けられ、係止突起１０は回転筒９をベース４に固定するためのガイドケース１２の内周に設けられた係止溝１２ａに係合している。
【００２１】
次ぎに本発明の水栓の高さ調整装置の動作について説明する。
【００２２】
図６は水栓支持管をロックした状態を示す縦断面図、図７は水栓支持管へのロックを解除した状態を示す縦断面図である。
【００２３】
取付具５０に固定した保持装置３に対して、サポート２の水栓支持管２ｂが差し込まれ、サポート２のホルダ２ａにはシャワーヘッド１の基端が着脱自在に保持されている。そして、シャワーヘッド１に接続したホース１ａはホルダ２ａ及び水栓支持管２ｂに通されているので、ホルダ１ａの下端をカバー７の受圧座７ｂに預けたままでシャワーヘッド１からの吐水が行えるほか、シャワーヘッド１をホルダ２ａから引き出して使うこともできる。
【００２４】
一方、ボタン５ｆを押さない限りストッパ６に対する受座５ｅ上での押圧は作用しないので、ストッパ６はその自重によって傾斜した姿勢に維持されている。すなわち、ストッパ６の開口６ａは水栓支持管２ｂに対する係合力を作用させる状態に保持されているが、ホルダ２ａを引き上げると水栓支持管２ｂも上に移動するので、この水栓支持管２ｂの外周に緩やかに開口６ａの開口縁が係合しているストッパ６は、水栓支持管２ｂの上昇に伴って左端側が持ち上げられる。したがって、開口６ａは水栓支持管２ｂが速やかに通過できるような水平姿勢となり、これによってホルダ２ａを引き上げる操作だけでストッパ６によってロック状態にあった水栓支持管２ｂを引き上げることができる。
【００２５】
このように、シャワーヘッド１を使う位置を高くする側に設定するときには、ボタン５ｆを押すことなくサポート２を手で引き上げて高さを調整した後に手を離すだけで、ストッパ６をアンロックの状態からロック状態に切り替えることができる。そして、上昇させた水栓支持管２ｂに対して、傾斜姿勢にあるストッパ６の開口６ａと水栓支持管２ｂの外周面との間の係合力を作用させることによって、水栓支持管２ｂの下降を拘束し、シャワーヘッド１の高さを変えてこれを使うことができる。
【００２６】
所定の高さに設定したサポート２を再び下降位置に戻すには、ボタン５ｆを押しておけばよい。すなわち、ボタン５ｆを押し続けておけばストッパ６を水栓支持管２ｂと直交する姿勢に設定できるので、水栓支持管２ｂに対する開口６ａの開口縁による係合を解くことができる。したがって、ロックが解除された水栓支持管２ｂはストッパ６とは関係なく下降できるようになり、サポート２及びシャワーヘッド１の自重によって保持装置３内を支持管２ｂが滑り落ちる。そして、ボタン５ｆを押すのを止めれば、受座５ｅ側を高くなるようにストッパ６が傾斜した姿勢に戻り、これによって水栓支持管２ｂは再びロックされる。
【００２７】
【発明の効果】
吐水口支持管の方向を斜めにして使用したい場合でも、吐水口の重さにより吐水口支持杆が正面方向に回転することがなく、また、高さ調整のために吐水口支持杆の慴動が重くなることもない。
【００２８】
本発明では、水栓の位置を高くするときにはサポートだけを手で引き上げた後に手を離すだけの操作でストッパによる拘束の解除と高さ設定位置への再拘束ができるので、従来例のように操作摘みをいちいち操作することは不要となり、高さ調整が簡単に行える。
【００２９】
また、サポートを下げるときだけ解除手段を操作すればサポートは水栓を含む自重によって保持装置の中を下に抜けていくので、同様に取扱いが簡単になる。そして、特に解除手段として押しボタン式のボタンを備えるものでは、このボタンを片方の手で押すだけで済むのでより一層使い勝手が向上すると共に、保持装置には従来例のように二股状の摘みを設ける必要がないので外観が向上するほか埃の付着等の問題も解消される。
【図面の簡単な説明】
【図１】（ａ）は本発明の水栓の支持構造を備えたハンドシャワーの例の取付け構造を示す要部の切欠図、（ｂ）は、Ｇ−Ｇ断面図である。
【図２】  保持装置と回転規制手段部分の縦断面図である。
【図３】  摩擦リングをガイドケースに係合した状態の縦断面である。
【図４】  保持装置の分解斜視図である。
【図５】  回転筒とガイドケースの分解斜視図である。
【図６】  水栓支持管をロックした状態を示す縦断面図である。
【図７】  水栓支持管のロックを解除した状態を示す縦断面図である。
【符号の説明】
１  ：シャワーヘッド
１ａ：ホース
２  ：サポート
２ａ：ホルダ
２ｂ：水栓支持管
２ｃ：凸部
２ｄ：凹溝
３  ：保持装置
４  ：ベース
４ｂ：収納座
５  ：リテーナハウジング
５ａ：保持環
５ｂ：操作環
５ｃ，５ｄ：開口
５ｅ：受座
５ｆ：ボタン
５ｇ：コイルスプリング
６  ：ストッパ
６ａ：開口
７  ：カバー
７ａ：開口
７ｂ：受圧座
７ｃ：ボタン孔
８  ：パッキン
９  ：回転筒
９ａ：凸条
１０  ：摩擦リング
１０ａ：係止突起
１１  ：締付リング
１２  ：ガイドケース
１２ａ：係止溝
５０  ：取付具
５０ａ：ビス
【図１】
0003734199.tif 000002
【図２】
0003734199.tif 000003
【図３】
0003734199.tif 000004
【図４】
0003734199.tif 000005
【図５】
0003734199.tif 000006
【図６】
0003734199.tif 000007
【図７】
0003734199.tif 000008